(57)【要約】【課題】  ２以上の面を正面とすることが可能な電子機器を提供する。【解決手段】  オーディオ機器は、リモコン送信機からの信号を受信する受光部４０と、受光部４０を保持する可動部３０と、重力に従って回転可能に可動部３０を支持する支持部２１Ａとを備え、支持部２１Ａは、可動部３０が回転する軌跡上の予め定められた複数の位置それぞれで、可動部３０を位置決めするための回転軸用溝２２Ａおよび規制部材用溝２３Ａを含む。【選択図】        図３
2007088874.tif 000002
【特許請求の範囲】
【請求項１】
リモコン送信機から送出される信号を受信する受信部と、
前記受信部を保持する可動部と、
重力に従って回転可能に前記可動部を支持する支持部とを備え、
前記支持部は、前記可動部が回転する軌跡上の予め定められた複数の位置それぞれで、前記可動部を位置決めするための複数の位置決め手段を含む、電子機器。
【請求項２】
前記可動部は、重心を通らない回転軸と、該回転軸に略平行に設けられた規制部材とを含み、
前記支持部は、前記可動部が回転中に前記回転軸が納まる回転軸受部と、
前記可動部が回転中に前記規制部材を摺動可能に支持する摺動溝とを含み、
前記位置決め手段は、前記摺動溝に連続して設けられ、前記複数の位置で前記規制部材の少なくとも一部を収納する複数の規制部材収納部と、
前記複数の規制部材収納部それぞれに対応して前記回転軸受部に連続して設けられ、前記回転軸の少なくとも一部を収納する複数の回転軸収納部と、を含む請求項１に記載の電子機器。
【請求項３】
前記複数の規制部材収納部は、前記摺動溝の両端それぞれに連続して設けられる、請求項２に記載の電子機器。
【請求項４】
前記回転軸および前記規制部材それぞれは、断面半径の長さが等しい円柱形状であり、
前記複数の回転軸収納部それぞれは、前記回転軸の断面半径よりも長さが短く、
前記複数の規制部材収納部それぞれは、前記規制部材の断面半径よりも長さが短い、請求項２に記載の電子機器。
【請求項５】
前記複数の規制部材収納部それぞれは、前記複数の回転軸収納部のうち対応する前記回転軸収納部と平行である、請求項２に記載の電子機器。
【請求項６】
前記複数の規制部材収納部は、前記摺動溝の一方の端に連続して設けられる第１の規制部材収納部と、前記摺動溝の他方の端に連続して設けられる第２の規制部材収納部とを含み、
前記第１の規制部材収納部は、前記回転軸受部と前記摺動溝の前記一方の端とが重力方向に並んで位置するとき、前記摺動溝の前記一方の端から重力方向または重力方向から前記摺動溝の前記他方の端と反対側に傾斜する方向に延びる溝を有し、
前記第２の規制部材収納部は、前記回転軸受部と前記摺動溝の前記他方の端とが重力方向に並んで位置するとき、前記摺動溝の前記他方の端から重力方向または重力方向から前記摺動溝の前記一方の端と反対側に傾斜する方向に延びる溝を有する、請求項５に記載の電子機器。
【発明の詳細な説明】
【技術分野】
【０００１】
この発明は電子機器に関し、特に、設置姿勢を変更可能な電子機器に関する。
【背景技術】
【０００２】
近年、オーディオ機器で代表される電子機器は、遠隔操作により制御される。このため、電子機器に、リモコン送信機から送出される赤外光を受光する受光部が、固定して取り付けられる。赤外光が指向性を有することから、オーディオ機器は、正面となる面が固定されてしまう。このため、電子機器を設置する姿勢は、受光部が前面を向く方向、たとえば、縦置きまたは横置きに制限される。
【０００３】
一方、特開２０００−１６４０６４号公報（特許文献１）には、電子機器を設置する姿勢が、縦置きまたは横置きのいずれの場合であっても、表示部を一定の姿勢に保つ技術が記載されている。しかしながら、表示部に重力を上回る外力が働けば、姿勢を一定に保つことができない。
【特許文献１】特開２０００−１６４０６４号公報
【発明の開示】
【発明が解決しようとする課題】
【０００４】
この発明は上述した問題点を解決するためになされたもので、この発明の目的の１つは、正面を異ならせた２以上の設置姿勢で設置することができ、各設置姿勢でリモコン送信機からの信号を効率的に受信することが可能な電子機器を提供することである。
【課題を解決するための手段】
【０００５】
上述した目的を達成するために、この発明のある局面によれば、電子機器は、リモコン送信機から送出される信号を受信する受信部と、受信部を保持する可動部と、重力に従って回転可能に可動部を支持する支持部とを備え、支持部は、可動部が回転する軌跡上の予め定められた複数の位置それぞれで、可動部を位置決めするための複数の位置決め手段を含む、電子機器。
【０００６】
この発明に従えば、重力に従って回転可能に可動部が支持部により支持されており、支持部は、可動部が回転する軌跡上の予め定められた複数の位置それぞれで、可動部を位置決めする。受光部の方向を重力に従って可変とするので、正面を異ならせた２以上の設置姿勢で電子機器を設置することができる。また、可動部が回転する軌跡上の予め定められた複数の位置それぞれで、可動部を位置決めするので、各設置姿勢で可動部が固定される。このため、リモコン送信機からの信号を効率的に受信することができる。その結果、正面を異ならせた２以上の設置姿勢で設置することができ、各設置姿勢でリモコン送信機からの信号を効率的に受信することが可能な電子機器を提供することができる。
【０００７】
好ましくは、可動部は、重心を通らない回転軸と、該回転軸に略平行に設けられた規制部材とを含み、支持部は、可動部が回転中に回転軸が納まる回転軸受部と、可動部が回転中に規制部材を摺動可能に支持する摺動溝とを含み、位置決め手段は、摺動溝に連続して設けられ、複数の位置で規制部材の少なくとも一部を収納する複数の規制部材収納部と、複数の規制部材収納部それぞれに対応して回転軸受部に連続して設けられ、回転軸の少なくとも一部を収納する複数の回転軸収納部とを含む。
【０００８】
この発明に従えば、可動部は、重心を通らない回転軸を有しており、支持部の回転軸受部に収められて可動部が回転するので、重力により受光部の方向が定まる。また、支持部には、複数の位置それぞれで規制部材の少なくとも一部を収納する複数の規制部材収納部が摺動溝に連続して設けられ、複数の規制部材収納部それぞれに対応して、回転軸の少なくとも一部を収納する回転軸収納部が回転軸受部に連続して設けられる。このため、可動部が複数の位置のいずれかに位置すると、回転軸が回転軸収納部に収納され、規制部材が規制部材収納部に収納されて位置決めされる。その結果、電子機器が振動などを受けたとしても、可動部が回転するのを規制して受光部の方向を重力に対して所定の方向に位置決めすることができる。
【０００９】
好ましくは、複数の規制部材収納部は、摺動溝の両端それぞれに連続して設けられる。
【００１０】
この発明に従えば、摺動溝の両端それぞれに規制部材収納部が設けられるので、規制部が摺動溝の両端の端に位置すると、可動部が位置決めされる。
【００１１】
好ましくは、回転軸および規制部材それぞれは、断面半径の長さが等しい円柱形状であり、複数の回転軸収納部それぞれは、回転軸の断面半径よりも長さが短く、複数の規制部材収納部それぞれは、規制部材の断面半径よりも長さが短い。
【００１２】
この発明に従えば、複数の回転軸収納部それぞれは、回転軸の断面半径よりも長さが短く、複数の規制部材収納部それぞれは、規制部材の断面半径よりも長さが短いので、支持部が回転すると、回転軸および規制部材が、重力の作用により回転軸受部および摺動溝へそれぞれ移動する。このため、可動部を回転させることが可能となる。
【００１３】
好ましくは、複数の規制部材収納部それぞれは、複数の回転軸収納部のうち対応する回転軸収納部と平行である。
【００１４】
この発明に従えば、回転軸と規制部材とが、回転軸収納部および規制部材収納部それぞれに案内されて平行に移動するので、可動部を滑らかに移動させることができる。
【００１５】
好ましくは、複数の規制部材収納部は、摺動溝の一方の端に連続して設けられる第１の規制部材収納部と、摺動溝の他方の端に連続して設けられる第２の規制部材収納部とを含み、第１の規制部材収納部は、回転軸受部と摺動溝の一方の端とが重力方向に並んで位置するとき、摺動溝の一方の端から重力方向または重力方向から摺動溝の他方の端と反対側に傾斜する方向に延びる溝を含み、第２の規制部材収納部は、回転軸受部と摺動溝の他方の端とが重力方向に並んで位置するとき、摺動溝の他方の端から重力方向または重力方向から摺動溝の一方の端と反対側に傾斜する方向に延びる溝を含む。
【００１６】
この発明に従えば、規制部材が摺動溝の一方の端に位置すると、重力の作用により第１の規制部材収納部に導かれ、規制部材が摺動溝の他方の端に位置すると、重力の作用により第２の規制部材収納部に導かれる。このため、可動部を固定することができる。
【発明を実施するための最良の形態】
【００１７】
以下、本発明の実施の形態について図面を参照して説明する。以下の説明では同一の部品には同一の符号を付してある。それらの名称および機能も同じである。したがってそれらについての詳細な説明は繰返さない。
【００１８】
図１は、第１の設置姿勢におけるオーディオ機器１の斜視図である。図１を参照して、オーディオ機器１は、本体１０と、リモコン送信機２とを含む。リモコン送信機２は、本体１０に指令を送出するための送信機である。このリモコン送信機２に設けられたキーがユーザにより操作されると、そのキーに対応した指令を意味する信号光(リモコン信号)が発光部から送出される。本実施の形態において、リモコン信号は赤外光である。このように、本体１は、リモコン送信機２により遠隔操作が可能とされている。
【００１９】
本体１０の面１８は、スライド式の開閉窓１１Ａ，１１Ｂと、操作スイッチ１２Ａ，１２Ｂ，１２Ｃと、第１受光窓１５Ａとを備える。本体１０は、直方体形状である。本体１０は、第１の設置姿勢において、面１８が正面となる。オーディオ機器１の面１８が正面となるので、ユーザは、スライド式の開閉窓１１Ａ，１１Ｂを開閉可能であり、操作スイッチ１２Ａ，１２Ｂ，１２Ｃを操作可能である。オーディオ機器１が第１の設置姿勢にあるとき、リモコン送信機２から送出されたリモコン信号は本体１０の面１８に備えられた第１受光窓１５Ａに入射する。
【００２０】
図２は、第２の設置姿勢におけるオーディオ機器１の斜視図である。本体１０は、第２の設置姿勢において、面１８が上面となり、面１７が正面となる。本体１０の面１８が上面となるので、ユーザは、スライド式の開閉窓１１Ａ，１１Ｂを開閉可能であり、操作スイッチ１２Ａ，１２Ｂ，１２Ｃを操作可能である。図２（Ａ）では、オーディオ機器１の開閉窓１１Ａ，１１Ｂが閉状態における本体１０の斜視図である。開閉窓１１Ａ，１１Ｂを互いに逆方向にスライドすると、開閉窓１１Ａ，１１Ｂが開状態となり、本体１０の内部が開口する。図２（Ｂ）は、本体１０の開閉窓１１Ａ，１１Ｂが開状態における本体１０の斜視図である。開閉窓１１Ａ，１１Ｂが開状態となることで本体の内部が開口し、ＣＤ−ＲＯＭ（Ｃｏｍｐａｃｔ  Ｄｉｓｃ  Ｒｅａｄ  Ｏｎｌｙ  Ｍｅｍｏｒｙ）１９の着脱が可能となる。
【００２１】
本体１０の面１８と面１７とは、それぞれが１辺を共有しており、面１８はその左下隅に第１受光窓１５Ａを備え、面１７はその右上隅に第２受光窓１５Ｂを備える。オーディオ機器１が第２の設置姿勢にあるとき、リモコン送信機２から送出されたリモコン信号は本体１０の面１７に備えられた第２受光窓１５Ｂに入射する。
【００２２】
第１受光窓１５Ａおよび第２受光窓１５Ｂの裏面奥の本体１０の内部には、後述するリモコン受信機２０（図３参照）が備えられており、第１受光窓１５Ａまたは第２受光窓１５Ｂに入射したリモコン信号が、リモコン受信機２０で受光される。
【００２３】
なお、オーディオ機器１の動作については周知なのでここでは説明を繰り返さない。
【００２４】
図３は、オーディオ機器１が第１の設置姿勢にある場合のリモコン受信機の外観を示す斜視図である。図３を参照して、リモコン受信機２０は、リモコン送信機２から送出されるリモコン信号を受光するための受光部４０と、受光部４０を保持する可動部３０と、可動部を両側から支持する支持部２１Ａ，２１Ｂとを含む。支持部２１Ａ，２１Ｂは、本体１０の内部に固定される。ここでは、支持部２１Ａ，２１Ｂは、面１７の裏面および面１８の裏面に固定される。ここで、図２を参照して、リモコン送信機２から送出されるリモコン信号は、第１受光窓１５Ａに入射し、第１受光窓１５Ａを透過する。図３を参照して、第１受光窓１５Ａを透過したリモコン信号は、リモコン受信機２０の受光部４０で受光される。オーディオ機器１が第１の設置姿勢にあるとき、受光部４０の受光面は、水平面に垂直となるので、リモコン信号が受光部４０の受光面に垂直に近い角度で入射することになる。この結果、受光部４０でリモコン信号を効率的に受光することができる。
【００２５】
さらに、図４および図５を用いて説明する。図４（Ａ）は、可動部３０の正面図である。図４（Ｂ）は、可動部３０の左側面図である。図５は、支持部２１Ａの左側面図である。図３〜図５を参照して、可動部３０は、回転軸３１Ａ,３１Ｂと、規制部材３２Ａ，３２Ｂと、錘３３とを備える。錘３３は、可動部３０の回転軸３１Ａ，３１Ｂの下方に位置する。この錘３３は、受光部４０を含む可動部３０の重心を回転軸３１Ａ，３１Ｂから離れた位置に調整するために設けられる。回転軸３１Ａ，３１Ｂは、受光部４０を含む可動部３０の重心を通らなければよい。したがって、回転軸３１Ａ，３１Ｂを回転可能に支持すれば、可動部３０は重力によりその静止位置が定まる。規制部材３２Ａ，３２Ｂは、１つの軸を形成し、回転軸３１Ａ，３１Ｂと平行である。本実施の形態においては、回転軸３１Ａ，３１Ｂの直径と、規制部材３２Ａ，３２Ｂの直径とを等しくしている。
【００２６】
支持部２１Ｂは、支持部２１Ａと面対象なので、ここでは、支持部２１Ａについて説明する。図５を参照して、支持部２１Ａは、回転軸３１Ａが挿入される回転軸用溝２２Ａと、規制部材３２Ａが挿入される規制部材用溝２３Ａとを含む。回転軸用溝２２Ａは、可動部３０が回転中に回転軸３１Ａが納まる軸受部２４Ａと、回転軸３１Ａを収納するための第１回転軸収納部２５Ａおよび第２回転軸収納部２６Ａとを含む。第１回転軸収納部２５Ａおよび第２回転軸収納部２６Ａそれぞれは、軸受部２４Ａに連続する。規制部材用溝２３Ａは、可動部３０の回転に伴って規制部材３２Ａを摺動可能に支持する円弧状の摺動溝２７Ａと、第１規制部材収納部２８Ａおよび第２規制部材収納部２９Ａとを含む。第１規制部材収納部２８Ａは摺動溝２７Ａの一端に連続し、第２規制部材収納部２９Ａは摺動溝２７Ａの他端に連続する。また、軸受部２４Ａの中心と摺動溝２７Ａの中心線との距離は、回転軸３１Ａの中心と規制部材３２Ａの中心との距離に等しい。
【００２７】
図６は、可動部が支持部に支持された第１の状態を示す図である。図６は、可動部３０が回転可能に支持部２１Ａ，２１Ｂに支持されている状態のリモコン受信機２０を、支持部２１Ａ側から見た図である。図６を参照して、可動部３０の規制部材３２Ａが摺動溝２７Ａに位置する。このとき、回転軸３１Ａは軸受部２４Ａに収められる。このため、可動部３０は、回転軸３１Ａを中心に回転可能な状態となる。図６では、規制部材３２Ａが摺動溝２７Ａの一端にある。可動部３０が重力を受けているので、図６に示す状態の後、可動部３０は下方に移動し、図７に示す状態となる。
【００２８】
図７は、可動部が支持部に支持された第２の状態を示す図である。図７は、オーディオ機器１が第１の設置姿勢にあるときのリモコン受信機２０を、支持部２１Ａ側から見た図である。規制部材用溝２３Ａの第１規制部材収納部２８Ａが最も下方（重力方向）に位置する。この状態では、可動部３０の規制部材３２Ａが第１規制部材収納部２８Ａに収納され、回転軸３１Ａが、第１回転軸収納部２５Ａに収納される。これにより、可動部３０が支持部２１Ａに固定される。このため、本体１０が水平方向に振動しても、可動部３０が回転軸３１Ａを中心に回転するのが規制される。
【００２９】
図８は、可動部が支持部に支持された第３の状態を示す図である。図８は、オーディオ機器１が第２の設置姿勢にあるときのリモコン受信機２０を、支持部２１Ａ側から見た図である。規制部材用溝２３Ａの第２規制部材収納部２９Ａが最も下方（重力方向）に位置する。この状態では、可動部３０の規制部材３２Ａが第２規制部材収納部２９Ａに収納され、回転軸３１Ａが、第２回転軸収納部２６Ａに収納される。これにより、可動部３０が支持部２１Ａ，２１Ｂに固定される。このため、本体１０が水平方向に振動しても、可動部３０が回転軸３１Ａを中心に回転するのが規制される。
【００３０】
図９は、回転軸用溝２２Ａおよび規制部材用溝２３Ａを説明するための図である。図９は、オーディオ機器１が第１の設置姿勢にあるときの支持部２１Ａの左側面図である。ここで、図６を参照して、点５０は、回転軸３１Ａが軸受部２４Ａにあるときの回転軸３１Ａの中心を示す。換言すれば、点５０は、軸受部２４Ａの中心である。点５３は、規制部材３２Ａが摺動溝２７Ａの一端にあるときの、規制部材３２Ａの中心を示す。さらに、図７を参照して、点５１は、回転軸３１Ａが第１回転軸収納部２５Ａに収納されているときの回転軸３１Ａの中心を示す。点５４は、規制部材３２Ａが第１規制部材収納部２８Ａにあるときの、規制部材３２Ａの中心を示す。
【００３１】
図９に戻って、回転軸３１Ａが、軸受部２４Ａから第１回転軸収納部２５Ａに移動すると、回転軸３１Ａの中心が点５０から点５１に移動する。また、規制部材３２Ａが摺動溝２７Ａの一端から第１規制部材収納部２８Ａに移動すると、規制部材３２Ａの中心が点５３から点５４に移動する。点５０と点５１とを結ぶ線は、点５３と点５４とを結ぶ線と平行である。従って、第１回転軸収納部２５Ａと第１規制部材収納部２８Ａとは平行である。また、点５０と点５１とを結ぶ線分は、点５３と点５４とを結ぶ線分と長さが等しい。従って、第１回転軸収納部２５Ａと第１規制部材収納部２８Ａとはその形状が合同である。同様に、第２回転軸収納部２６Ａと第２規制部材収納部２９Ａとはその形状が合同である。
【００３２】
また、第１回転軸収納部２５Ａと第１規制部材収納部２８Ａそれぞれは、オーディオ機器が第１の設置姿勢にあるとき、重力方向、または重力方向から摺動溝２７Ａの第２規制部材収納部２９Ａ側の他端と反対方向にわずかに傾斜する方向に形成される。これにより、支持部２１Ａが図中時計方向に回転すると、可動部３０が重力の力を受けるので、回転軸３１Ａと規制部材３２Ａが、第１回転軸収納部２５Ａおよび第１規制部材収納部２８Ａから容易に脱出することができる。また、点５０と点５１とを結ぶ線分と、点５３と点５４とを結ぶ線分との長さは、回転軸３１Ａおよび規制部材３２Ａの半径より短い。これにより、支持部２１Ａが図中時計方向に回転すると、可動部３０が重力の力を受けるので、回転軸３１Ａと規制部材３２Ａが、第１回転軸収納部２５Ａおよび第１規制部材収納部２８Ａからさらに容易に脱出することができる。同様に、第２回転軸収納部２６Ａと第２規制部材収納部２９Ａそれぞれは、オーディオ機器が第２の設置姿勢にあるとき、重力方向、または重力方向から摺動溝２７Ａの第１規制部材収納部２８Ａ側の他端と反対方向にわずかに傾斜する方向に形成される。
【００３３】
図１０は、受光部と受光窓との関係を説明するための図である。図１０（Ａ）は、オーディオ機器１が第１の設置姿勢にあるときの受光部４０と受光窓１５Ａ，１５Ｂとの関係を示す図であり、リモコン受信機２０の支持部２１Ａ側から見た図である。オーディオ機器１が第２の設置姿勢にあるとき、本体１０の面１８が正面となるため、リモコン送信機２から送出されるリモコン信号は、受光窓１５Ａを透過して、受光部４０に導かれる。可動部３０は、その回転軸３１Ａが支持部２１Ａの第１回転軸収納部２５Ａに収納され、規制部材３２Ａが第１規制部材収納部２８Ａに収納されて固定される。このため、受光部４０には、リモコン信号が垂直に近い角度で入射する。
【００３４】
図１０（Ｂ）は、オーディオ機器１が第２の設置姿勢にあるときの受光部４０と受光窓１５Ａ，１５Ｂとの関係を示す図であり、リモコン受信機２０の支持部２１Ａ側から見た図である。オーディオ機器１が第２の設置姿勢にあるとき、本体１０の面１７が正面となるため、リモコン送信機２から送出されるリモコン信号は、受光窓１５Ｂを透過して、受光部４０に導かれる。可動部３０は、その回転軸３１Ａが支持部２１Ａの第２回転軸収納部２６Ａに収納され、規制部材３２Ａが第２規制部材収納部２９Ａに収納されて固定される。このため、受光部４０には、リモコン信号が垂直に近い角度で入射する。
【００３５】
なお、本実施の形態におけるオーディオ機器１では、リモコン受信機２０の支持部２１Ａ，２１Ｂが備える摺動溝２７Ａ，２７Ｂの長さを、回転軸受部２４Ａ，２４Ｂを中心とした円弧の１／４とし、可動部３０の回転可能な角度を９０度に制限するようにした。しかしながら、摺動溝２７Ａ，２７Ｂは、その長さがこれに限定されるものではなく、回転軸受部２４Ａ，２４Ｂを中心とした円弧上にあれば、これより長くてもよく、短くてもよい。図１１は、摺動溝の長さを短くした一例を示す図である。
【００３６】
以上説明したように、本実施の形態におけるオーディオ機器１では、第１の設置姿勢と、第２の設置姿勢のいずれの態様にあるときでも、受光部４０の受光面を、垂直な状態で固定する。このため、オーディオ機器１が、第１の設置姿勢と第２の設置姿勢とのいずれの態様であっても、リモコン送信機２から送出されるリモコン信号が、受光部４０で効率的に受光される。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３８】
【図１】第１の設置姿勢におけるオーディオ機器１の斜視図である。
【図２】第２の設置姿勢におけるオーディオ機器１の斜視図である。
【図３】オーディオ機器が第１の設置姿勢にある場合のリモコン受信機の外観を示す斜視図である。
【図４】可動部の正面図および左側面図である。
【図５】支持部の左側面図である。
【図６】可動部が支持部に支持された第１の状態を示す図である。
【図７】可動部が支持部に支持された第２の状態を示す図である。
【図８】可動部が支持部に支持された第３の状態を示す図である。
【図９】回転軸用溝および規制部材用溝を説明するための図である。
【図１０】受光部と受光窓との関係を説明するための図である。
【図１１】摺動溝の長さを短くした一例を示す図である。
【符号の説明】
【００３９】
１  オーディオ機器、２  リモコン送信機、１０  本体、１１Ａ，１１Ｂ  開閉窓、１２Ａ，１２Ｂ，１２Ｃ  操作スイッチ、１５Ａ，１５Ｂ  受光窓、２０  リモコン受信機、２１Ａ，２１Ｂ  支持部、２２Ａ  回転軸用溝、２３Ａ  規制部材用溝、２４Ａ  軸受部、２５Ａ  第１回転軸収納部、２６Ａ  第２回転軸収納部、２７Ａ  摺動溝、２８Ａ  第１規制部材収納部、２９Ａ  第２規制部材収納部、３０  可動部、３１Ａ，３１Ｂ  回転軸、３２Ａ，３２Ｂ  規制部材、３３  錘、４０  受光部。
【図１】
2007088874.tif 000003
【図２】
2007088874.tif 000004
【図３】
2007088874.tif 000005
【図４】
2007088874.tif 000006
【図５】
2007088874.tif 000007
【図６】
2007088874.tif 000008
【図７】
2007088874.tif 000009
【図８】
2007088874.tif 000010
【図９】
2007088874.tif 000011
【図１０】
2007088874.tif 000012
【図１１】
2007088874.tif 000013